(57)【要約】【課題】  装置を小型化できるとともに、クロスダイクロイックミラーを装置内に安定的に保持することができる投射型表示装置の提供。【解決手段】  第１保持装置２１１の底面部２１３に垂直なクロスダイクロイックミラー保持部２１２と第２保持装置２２１のクロスダイクロイックミラー保持部２２１Ｂとの間に、クロスダイクロイックミラー１０３を構成するダイクロイックミラー１０３Ｂ，１０３ＲＧがミラー面両端を挟むように保持される。第２保持装置２２１にはクロスダイクロイックミラー保持部２２１Ｂと直角な関係にある直角部２２１Ａが形成されており、この直角部２２１Ａをクロスダイクロイックミラー保持部２１２に固設することにより、クロスダイクロイックミラー保持部２１２，２２１Ｂが互いに平行に保持される。その結果、クロスダイクロイックミラー１０３は底面部２１３に対して平行に保持される。【選択図】        図３
2005165230.tif 000002
【特許請求の範囲】
【請求項１】
光源からの光を、第１色光および第２色光の混合光と第３色光とに色分解するクロスダイクロイックミラーと、
前記混合光を第１色光と第２色光とに色分解するダイクロイックミラーと、
前記第１色光が入射し、入射した光を変調して射出する第１のライトバルブと、
前記第２色光が入射し、入射した光を変調して射出する第２のライトバルブと、
前記第３色光が入射し、入射した光を変調して射出する第３のライトバルブと、
前記第１，第２および第３のライトバルブからそれぞれ射出された光を検光する検光光学系と、
前記検光光学系で検光された各光を色合成する複数のダイクロイック膜を有する光学部材と、
前記光学部材で色合成された合成光を投射する投射光学系とを備える投射型表示装置において、
前記光学部材を保持し、前記複数のダイクロイック膜に対して垂直に配置されたベース部材と、
前記ベース部材に垂直に立設する壁部と、
前記壁部に設けられ、前記クロスダイクロイックミラーを構成するダイクロイックミラーのミラー面が前記壁部に対して垂直となるように前記ダイクロイックミラーの端部を保持する保持具とを有することを特徴とする投射型表示装置。
【請求項２】
請求項１に記載の投射型表示装置において、
前記壁部は一対の壁部であり、当該一対の壁部の対向するそれぞれの面に、前記クロスダイクロイックミラーを構成するダイクロイックミラーの両端部を保持する保持具を有することを特徴とする投射型表示装置。
【請求項３】
請求項２に記載の投射型表示装置において、
前記一対の壁部の間に掛け渡されるように固設され、前記一対の壁部を互いに平行に保持する保持部材を設けたことを特徴とする投射型表示装置。
【請求項４】
請求項１〜３のいずれかに記載の投射型表示装置において、
前記第１、第２および第３のライトバルブをそれぞれ反射型ライトバルブで構成し、前記検光光学系を偏光分離機能を有する偏光ビームスプリッタで構成したことを特徴とする投射型表示装置。
【請求項５】
請求項１〜３のいずれかに記載の投射型表示装置において、
前記第１、第２および第３のライトバルブはそれぞれ透過型ライトバルブで構成したことを特徴とする投射型表示装置。
【請求項６】
請求項１〜５のいずれかに記載の投射型表示装置において、
前記光学部材をクロスダイクロイックプリズムで構成したことを特徴とする投射型表示装置。
【発明の詳細な説明】
【技術分野】
【０００１】
本発明は、投射型表示装置に関する。
【背景技術】
【０００２】
従来、光源光をＢ（青色）光，Ｇ（緑色）光およびＲ（赤色）光に色分解し、それぞれの色光を反射型ライトバルブで変調した後に各色光用偏光ビームスプリッタで各々検光し、各検光光を色合成光学系で色合成し投射レンズでスクリーン等に投影する投射型表示装置が知られている（例えば、特許文献１および特許文献２参照）。光源光を３色光に色分解する際には、まず、クロスダイクロイックミラーを用いて光源光をＧ光とＲ光とを含む混合光とＢ光とに色分解し、その後に、ダイクロイックミラーを用いて、混合光をＧ光とＲ光とに色分解する。
【０００３】
【特許文献１】特開平１０−１３３３０１号公報
【特許文献２】特開平１１−３８３６５号公報
【発明の開示】
【発明が解決しようとする課題】
【０００４】
しかしながら、上述の投射型表示装置においては、ライトバルブ，偏光ビームスプリッタ，クロスダイクロイックプリズムなどから構成される投射光学系における各光学部材の配置間隔は、色分解光学系に使用されるクロスダイクロイックミラーの大きさや構成に依存する。そのため、投射光学系を小型化することが難しく、表示装置の小型化も難しいという問題点を有していた。
【課題を解決するための手段】
【０００５】
請求項１の発明は、光源からの光を、第１色光および第２色光の混合光と第３色光とに色分解するクロスダイクロイックミラーと、混合光を第１色光と第２色光とに色分解するダイクロイックミラーと、第１色光が入射し、入射した光を変調して射出する第１のライトバルブと、第２色光が入射し、入射した光を変調して射出する第２のライトバルブと、第３色光が入射し、入射した光を変調して射出する第３のライトバルブと、第１，第２および第３のライトバルブからそれぞれ射出された光を検光する検光光学系と、検光光学系で検光された各光を色合成する複数のダイクロイック膜を有する光学部材と、光学部材で色合成された合成光を投射する投射光学系とを備える投射型表示装置に適用され、光学部材を保持し、複数のダイクロイック膜に対して垂直に配置されたベース部材と、ベース部材に垂直に立設する壁部と、壁部に設けられ、クロスダイクロイックミラーを構成するダイクロイックミラーのミラー面が壁部に対して垂直となるようにダイクロイックミラーの端部を保持する保持具とを有することを特徴とする。
請求項２の発明は、請求項１に記載の投射型表示装置において、壁部は一対の壁部であり、当該一対の壁部の対向するそれぞれの面に、クロスダイクロイックミラーを構成するダイクロイックミラーの両端部を保持する保持具を有するものである。
請求項３の発明は、請求項２に記載の投射型表示装置において、一対の壁部の間に掛け渡されるように固設され、一対の壁部を互いに平行に保持する保持部材を設けたものである。
請求項４の発明は、請求項１〜３のいずれかに記載の投射型表示装置において、第１、第２および第３のライトバルブをそれぞれ反射型ライトバルブで構成し、検光光学系を偏光分離機能を有する偏光ビームスプリッタで構成したことを特徴とする。
請求項５の発明は、請求項１〜３のいずれかに記載の投射型表示装置において、第１、第２および第３のライトバルブはそれぞれ透過型ライトバルブで構成したものである。
請求項６の発明は、請求項１〜５のいずれかに記載の投射型表示装置において、光学部材をクロスダイクロイックプリズムで構成したことを特徴とする。
【発明の効果】
【０００６】
本発明によれば、投射型表示装置を小型化できるとともに、装置内においてクロスダイクロイックミラーを安定して保持することができる。
【発明を実施するための最良の形態】
【０００７】
以下、図を参照して本発明の実施の形態を説明する。図１は本発明による投射型表示装置の基本構成を示す平面図である。図１に示す装置では、装置のベース部材１２１上に搭載される構成要素と、ベース部材１２１の下方に設けられる構成要素とに大別される。ベース部材１２１の下方に設けられているものは（図１に点線で示す）、光源１０１と、光源１０１の上方に設けられて光源１０１からの光をライトバルブ上に均一に照射するための偏光変換照明装置１０２とである。
【０００８】
図１で図示を省略したが、ベース部材１２１の下面側には偏光変換照明装置１０２が収納されるボックスが設けられており、光源１０１はそのボックスに取り付けられている。ベース部材１２１の周囲三方には、ｚ軸プラス方向に垂直に立設する側壁１２１ａが形成されている。図１に示した構成は表示装置の基本構成部分のみであり、この基本構成を筐体内に収納して投射型のプロジェクターを構成したり、筐体内に反射ミラーを配置した背面反射型の表装置を構成したりすることができる。
【０００９】
光源１０１はランプと凹面鏡とから構成され、光源１０１を発した光源光は図１のｚ軸プラス方向へと進行する。偏光変換照明装置１０２は光源１０１の射出方向に配設されており、不図示のインテグレータと、偏光変換装置と、コンデンサレンズとを備えている。
【００１０】
インテグレータは、被照明体であるライトバルブ（後述する）の照明領域の比例縮小形状のレンズをマトリクス状に配置した第１レンズ板と、第１レンズ板のレンズの略焦点位置に複数のレンズをマトリクス状に配置した第２レンズ板とから構成される。
【００１１】
偏光変換装置は、偏光ビームスプリッタ、プリズムアレイ部材および１／２波長位相板とで構成されている。偏光ビームスプリッタは、インテグレータから射出する複数の光束をそれぞれ偏光分離する。偏光ビームスプリッタの偏光分離部で反射された偏光光はプリズムアレイ部材に配置された反射層によりさらに反射され、その進行方向は偏光分離部を透過した偏光光の進行方向と同一方向になる。プリズムアレイ部材には、偏光ビームスプリッタの数に応じて反射層が複数組配置されている。また、１／２波長位相板は、プリズムアレイ部材から射出する一方の偏光光を他方の偏光光と同じ偏光状態に変換させる。
【００１２】
コンデンサレンズは、偏光変換装置から射出した複数の偏光光束を、被照明体であるライトバルブ上に重畳して照明するものである。偏光変換照明装置１０２から射出された光源偏光光はｚ軸に沿ってベース部材１２１の裏側から表側に進行し、ダイクロイックミラー１０３Ｂとダイクロイックミラー１０３ＲＧとを互いに直交配置して構成されるクロスダイクロイックミラー１０３に入射する。
【００１３】
ダイクロイックミラー１０３Ｂは、Ｂ（青色）光を反射し、Ｇ（緑色）光とＲ（赤色）光を透過する特性を有している。一方、ダイクロイックミラー１０３ＲＧは、Ｇ光とＲ光とを反射し、Ｂ光を透過する特性を有している。クロスダイクロイックミラー１０３に入射した光源偏光光は、ｘ軸プラス方向に進行するＢ光と、Ｂ光とは逆向きにｘ軸マイナス方向に進行するＧ光およびＲ光の混合光とに色分解される。
【００１４】
色分解されたＢ光は、ベース部材１２１に垂直に配置された偏向ミラー１０４で反射されてｙ軸プラス方向に進行方向を変え、Ｂ光用偏光ビームスプリッタ１０７Ｂに入射する。偏光ビームスプリッタ１０７Ｂにはベース部材１２１に対して垂直に配置された偏光分離部が設けられており、Ｂ光はこの偏光分離部で反射されてｘ軸プラス方向に射出される。偏光ビームスプリッタ１０７Ｂを射出したＢ光は、１／４波長位相板１０８Ｂを経てＢ光用反射型ライトバルブ１０９Ｂに入射する。
【００１５】
前記色分解されたＧ光とＲ光の混合光は、ベース部材１２１に垂直に配置された偏向ミラー１０５で反射されてｙ軸プラス方向に進行方向を変え、ベース部材１２１に垂直に配置されたＧ光反射ダイクロイックミラー１０６に入射する。混合光に含まれるＧ光は、ダイクロイックミラー１０６で反射されて偏光ビームスプリッタ１０７Ｇに入射する。偏光ビームスプリッタ１０７Ｇに入射したＧ光は、ベース部材１２１に垂直に配置された偏光分離部で反射されて偏光ビームスプリッタ１０７Ｇを射出し、１／４波長位相板１０８Ｇを経てＧ光用反射型ライトバルブ１０９Ｇに入射する。
【００１６】
一方、混合光に含まれるＲ光は、ダイクロイックミラー１０６を透過して偏光ビームスプリッタ１０７Ｒに入射する。偏光ビームスプリッタ１０７Ｒに入射したＲ光は、ベース部材１２１に垂直に配置された偏光分離部で反射されて偏光ビームスプリッタ１０７Ｒを射出し、１／４波長位相板１０８Ｒを経てＲ光用反射型ライトバルブ１０９Ｒに入射する。
【００１７】
各Ｒ，Ｇ，Ｂ光用反射型ライトバルブ１０９Ｒ，１０９Ｇ，１０９Ｂに入射したＲ光、Ｇ光、Ｂ光は、各ライトバルブ１０９Ｒ〜１０９Ｂで変調作用を受け、それぞれライトバルブ１０９Ｒ〜１０９Ｂにより反射射出される。ライトバルブ１０９Ｒから射出されたＲ光は、１／４波長位相板１０８Ｒを経てＲ光用偏光ビームスプリッタ１０７Ｒに再び入射する。そして、偏光ビームスプリッタ１０７Ｒの偏光分離部をｘ軸プラス方向へと透過した光を、検光光として取り出す。
【００１８】
各ライトバルブ１０９Ｇ，１０９Ｂから射出されるＧ光およびＢ光についても同様で、それぞれ１／４波長位相板１０８Ｇ，１０８Ｂを経て偏光ビームスプリッタ１０７Ｇ，１０７Ｂに入射する。そして、偏光ビームスプリッタ１０７Ｇの偏光分離部をｙ軸プラス方向に透過した光、および、偏光ビームスプリッタ１０７Ｂの偏光分離部をｘ軸マイナス方向に透過した光を、それぞれ検光光として取り出す。
【００１９】
１１２は色合成光学系を構成するクロスダイクロイックプリズムである。各偏光ビームスプリッタ１０７Ｒ，１０７Ｇ，１０７Ｂの検光光射出面とクロスダイクロイックプリズム１１２の各入射面との間には、光路長補正光学部材１１１Ｒ、１１１Ｇ、１１１Ｂが一体化されて配置されている。各偏光ビームスプリッタ１０７Ｒ，１０７Ｇ，１０７Ｂから射出された各検光光は、光路長補正光学部材１１１Ｒ、１１１Ｇ、１１１Ｂを介してクロスダイクロイックプリズム１１２にそれぞれ入射する。
【００２０】
クロスダイクロイックプリズム１１２の内部には、紙面に垂直で互いに直交したＲ光反射ダイクロイック膜１１２ＲとＢ光反射ダイクロイック膜１１２Ｂとが形成されている。そのため、偏光ビームスプリッタ１０７Ｒからの検光光はＲ光反射ダイクロイック膜１１２Ｒで反射され、偏光ビームスプリッタ１０７Ｂからの検光光はＢ光反射ダイクロイック膜１１２Ｂで反射され、偏光ビームスプリッタ１０７Ｇからの検光光は反射ダイクロイック膜１１２Ｒ、１１２Ｂの両方を透過する。
【００２１】
すなわち、各偏光ビームスプリッタ１０７Ｒ，１０７Ｇ，１０７Ｂで反射された各検光光は、クロスダイクロイックプリズム１１２により合成されてｙ軸プラス方向に射出される。クロスダイクロイックプリズム１１２から射出された合成光は、投射レンズ１１３により図示しないスクリーン上にフルカラー像として投射される。
【００２２】
本実施形態では、偏光ビームスプリッタ１０７Ｒ，１０７Ｇ，１０７Ｂの各偏光分離部を誘電体多層膜で構成しているので、その誘電体多層膜による各検光光のコントラスを向上させるために１／４波長位相板１０８Ｒ，１０８Ｇ，１０８Ｂを配置した。しかし、偏光分離部としてワイヤーグリッド形状の偏光分離部を使用する場合には１／４波長位相板は必要としないので、図１の１／４波長位相板１０８Ｒ，１０８Ｇ，１０８Ｂは必須部材ではない。
【００２３】
本実施形態では、各色光用に設けられた反射型ライトバルブ１０９Ｒ，１０９Ｇ，１０９Ｂ、１／４波長位相板１０８Ｒ，１０８Ｇ，１０８Ｂ、偏光ビームスプリッタ１０７Ｒ，１０７Ｇ，１０７Ｂは、各色光毎にそれぞれ一体化部材１１０Ｒ、１１０Ｇ、１１０Ｂを用いて一体化されている。さらに、一体化されたそれぞれの部材は、前述したように光路長補正部材１１１Ｒ，１１１Ｇ，１１１Ｂを用いてクロスダイクロイックプリズム１１２と一体化され、一体化した一つの光学部材２００を形成している。
【００２４】
クロスダイクロイックプリズム１１２の合成光射出面側には、投射レンズ１１３を取り付けるためのマウント部材１２２が設けられている。投射レンズ１１３の鏡筒後端部に設けられたフランジ部１２３ａを、マウント部材１２２のマウント面１２２ｃに固定して取り付ける。マウント部材１２２は、ベース部材１２１にネジ等により垂直に固設されている。
【００２５】
図２はマウント部材１２２をクロスダイクロイックプリズム１１２側から見た斜視図であり、クロスダイクロイックプリズム１１２から投射レンズ１１３へ入射する光が通過する円形開口１２２ａが形成されている。投射レンズ１１３はそのレンズ鏡筒をマウント部材１２２にネジ等により固設される。
【００２６】
マウント部材１２２のクロスダイクロイックプリズム１１２側には、ベース部材１２１に対して平行に延在する光学部材取付部１２２ｂが設けられている。クロスダイクロイックプリズム１１２は、この光学部材取付部１２２ｂ上に保持される。例えば、クロスダイクロイックプリズム１１２の下面を光学部材取付部１２２ｂに接着して固定する。
【００２７】
上述した一体化された光学部材２００は、クロスダイクロイックプリズム１１２の下面を光学部材取付部１２２ｂの上面に接着することにより、光学部材取付部１２２ｂに固設されている。それによって、クロスダイクロイックプリズム１１２のダイクロイック膜１１２Ｂ，１１２Ｒおよび各偏光ビームスプリッタ１０７Ｒ，１０７Ｇ，１０７Ｂの偏光分離部は、ベース部材１２１に対して垂直に配置されることになる。
【００２８】
なお、本実施の形態では、図２のようにマウント部材１２２に光学部材取付部１２２ｂを設けてそこに光学部材２００を固定したが、光学部材取付部１２２ｂを省略して、クロスダイクロイックプリズム１１２の下面をベース部材１２１に直接固設するようにしても良い。
【００２９】
次いで、クロスダイクロイックミラー１０３の配置方法について説明する。図１では図示を省略したが、偏向ミラー１０４、１０５とクロスダイクロイックミラー１０３を構成するダイクロイックミラー１０３Ｂ，１０３ＲＧとは、図３に示すように第１保持部材２１１および第２保持部材２２１によって保持されている。第２保持部材２２１は第１保持部材２１１に取り付けられており、第１保持部材２１１は図１に示したベース部材１２１上に固設されている。
【００３０】
第１保持部材２１１は、ベース部材１２１に平行な底面部２１３と、底面部２１３から垂直に延在するクロスダイクロイックミラー保持部２１２からなる。一方、第２保持部材２２１には、クロスダイクロイックミラー保持部２２１Ｂと、クロスダイクロイックミラー保持部２２１Ｂに対して垂直に形成された直角部２２１Ａとが設けられている。第２保持部材２２１を第１保持部材２１１に取り付けた状態では、クロスダイクロイックミラー保持部２２１Ｂはクロスダイクロイックミラー保持部２１２と平行に対向し、直角部２２１Ａは底面部２１３に対して平行配置となる。
【００３１】
クロスダイクロイックミラー１０３を構成するダイクロイックミラー１０３Ｂ，１０３ＲＧは、クロスダイクロイックミラー保持部２１２，２２１Ｂ間に垂直に保持される。一方、偏向ミラー１０４，１０５は底面部２１３に垂直に保持される。なお、ダイクロイックミラー１０３Ｂは上下２枚のダイクロイックミラーで構成されており、ダイクロイックミラー１０３ＲＧを２枚構成のダイクロイックミラー１０３Ｂで挟むように直交配置することによりクロスダイクロイックミラー１０３が構成されている。
【００３２】
図４は第１保持部材２１１を示す斜視図である。クロスダイクロイックミラー保持部２１２のミラー保持面には、ダイクロイックミラー１０３Ｂを保持するための保持具２１５Ｂ１，２１５Ｂ２，２１５Ｂ３，２１５Ｂ４と、ダイクロイックミラー１０３Ｂをクロスダイクロイックミラー保持部２１２に対して所定位置に垂直に位置決めする部品２１４Ｂ１，２１４Ｂ２とが一直線上に配置されている。
【００３３】
さらに、直線配置された保持具２１５Ｂ１〜２１５Ｂ４および部品２１４Ｂ１，２１４Ｂ２と直交するように、ダイクロイックミラー１０３ＲＧを保持するための保持具２１５ＲＧ１，２１５ＲＧ２とダイクロイックミラー１０３ＲＧをクロスダイクロイックミラー保持部２１２に対して所定位置に垂直に位置決めする部品２１４ＲＧ１，２１４ＲＧ２とが一直線上に配置されている。
【００３４】
また、底面部２１３上には、偏向ミラー１０４を保持するための保持具２１６ａおよび位置決め用部品２１６ｂと、偏向ミラー１０５を保持するための保持具２１７ａおよび位置決め用部品２１７ｂとがそれぞれ設けられている。保持具２１５Ｂ１〜２１５Ｂ４，２１５ＲＧ１，２１５ＲＧ２，２１６ａ，２１７ａは同一構造を有しており、ミラー端部を表裏両面から挟みつけるように保持する構造になっている。
【００３５】
底面部２１３には開口２１３ａが形成されており、図１の偏光変換照明装置１０２から射出された光はこの開口２１３ａを下方から上方に向けて通過する。開口部２１３ａの両側にはｙ方向に延在する円柱状のミラー当接部２１３ｂが設けられており、偏向ミラー１０４，１０５はそれらの下端が各ミラー当接部２１３ｂ上に当接するように保持される。各ミラー当接部２１３ｂの端部には、上述した第２保持部材２２１を取り付けるためのネジ部２１３ｃが形成されている。
【００３６】
図５は第２保持部材２２１を示す斜視図である。上述したように、第２保持部材２２１にはクロスダイクロイックミラー保持部２２１Ｂと直角部２２１Ａとが設けられている。そして、図４のクロスダイクロイックミラー保持部２１２と対向配置されるクロスダイクロイックミラー保持部２２１Ｂには、ダイクロイックミラー１０３Ｂ，１０３ＲＧを保持するための保持具２２３Ｂ１，２２３Ｂ２，２２３ＲＧ１，２２３ＲＧ２が設けられている。保持具２２３Ｂ１，２２３Ｂ２，２２３ＲＧ１，２２３ＲＧ２はクロスダイクロイックミラー保持部２２１Ｂの保持面側（図示裏面側）に突出するように設けられており、図４に示す表面側には保持具２２３Ｂ１，２２３Ｂ２，２２３ＲＧ１，２２３ＲＧ２の取り付け部分のみが現れている。
【００３７】
クロスダイクロイックミラー保持部２２１Ｂの下部両端には、第２保持部材２２１を第１保持部材２１１に固定するための固定部２２２が設けられている。また、直角部２２１Ａには、直角部２２１Ａを第１保持部材２１１のクロスダイクロイックミラー保持部２１２に固定するための、貫通孔２２４が形成されている。
【００３８】
各固定部２２２の位置が第２保持部材２２１の底面部２１３に設けられたネジ部２１３ｃの位置と一致するように第２保持部材２２１を位置決めし、固定部２２２とネジ部２１３とをボルト等によりネジ締結する。さらに、貫通孔２２４を利用して、直角部材２２１Ａと第２保持部材２２１のクロスダイクロイックミラー保持部２１２とをボルト等により固定する。
【００３９】
その結果、第２保持部材２２１と第１保持部材２１１とが一体化される。このとき、直角部２２１Ａの端面２２１ｃと第１保持部材２１１に設けられたクロスダイクロイックミラー保持部２１２の表面とが密着するように固定することにより、クロスダイクロイックミラー保持部２１２とクロスダイクロイックミラー保持部２２１Ｂとの平行が担保される。
【００４０】
なお、上述した第２保持部材２２１では、直角部２２１Ａとクロスダイクロイックミラー保持部２２１Ｂとを一体で形成したが、これらを別々に形成し、両部材をネジや接着等により固定して一体化するようにしても良い。
【００４１】
クロスダイクロイックミラー１０３と偏向ミラー１０４，１０５とを第１および第２保持部材２１１，２２１に装着して一体化する場合には、まず、図６に示すように、第１保持部材２１１にダイクロイックミラー１０３Ｂ，１０３ＲＧおよび偏向ミラー１０４，１０５を保持させる。クロスダイクロイックミラー１０３に関しては、最初に、ダイクロイックミラー１０３ＲＧの端部をクロスダイクロイックミラー保持部２１２に設けられた保持具２１５ＲＧ１，２１５ＲＧ２に保持させ、部品２１４ＲＧ１，２１４ＲＧ２により位置決めする。
【００４２】
また、偏向ミラー１０４，１０５に関しては、それぞれの下端部を底面部２１３上に保持させたならば、偏向ミラー１０４の上端部を保持する保持具２１６ｃ，２１６ｄおよび偏向ミラー１０５の上端部を保持する保持具２１７ｃ，２１７ｄを底面部２１３に固定する。これによって、偏向ミラー１０４，１０５は第１保持部材２１１の底面部２１３に確実に保持されることになる。
【００４３】
次いで、上下２枚のダイクロイックミラー１０３Ｂの端部を保持具２１５Ｂ１，２１５Ｂ２および保持具２１５Ｂ３，２１５Ｂ４によりそれぞれ保持させ、部品２１４Ｂ１，２１４Ｂ２により位置決めする。ダイクロイックミラー１０３Ｂ，１０３ＲＧおよび偏向ミラー１０４，１０５を第１保持部材２１１に保持させたならば、第２保持部材２２１を図２に示すように第１保持部材２１１に固定する。
【００４４】
その際に、第２保持部材２２１に設けられた保持具２２３Ｂ１，２２３Ｂ２によりダイクロイックミラー１０３Ｂの他方の端部を保持させ、保持具２２３ＲＧ１，２２３ＲＧ２によりダイクロイックミラー１０３ＲＧの他方の端部を保持させるようにする。その結果、偏向ミラー１０４，１０５は底面部２１３上に垂直に保持され、クロスダイクロイックミラー１０３は第１保持部材２１１と第２保持部材２２１との間に底面部２１３に対して平行に保持されることになる。
【００４５】
このような、第１および第２保持部材２１１，２２１を用いたクロスダクロイックミラー１０３の取り付け保持方法によって、クロスダイクロイックミラー１０３の安定した状態で保持することが可能となる。その結果、クロスダイクロイックミラー１０３による色分解が確実となり、光学設計通りの良好な各色光をライトバルブに入射させることができ、カラーバランスの良好な投射像を投射することが可能となる。
【００４６】
また、クロスダイクロイックミラー１０３を水平に配置する構成としているため、直交するダイクロイックミラー１０３Ｂ，１０３ＲＧのミラー間に各偏向ミラー１０４、１０５の側端部を挿入するように配置することができる。その結果、偏向ミラー１０４、１０５の間隔を短くすることができるとともに、偏光ビームスプリッタ１０７Ｒ、１０７Ｇ、１０７Ｂの間隔、すなわち、光路長補正光学部材１１１Ｒ、１１１Ｇ、１１１Ｂの厚さを小さくすることができ、装置全体の小型化を図ることができる。
【００４７】
上述した実施の形態では色合成を行う光学部材としてクロスダイクロイックプリズム１１２を用いたが、他の方式の光学部材を用いても良い。例えば、３個の三角柱状プリズムを用いて色合成用光学部材を構成しても良い。この場合、第１プリズムと第２プリズムとの接合面に第１ダイクロイック膜を形成し、第２プリズムと第３プリズムとの接合面に第２ダイクロイック膜を形成する。そして、第１色光を第１プリズムに入射し、第２色光を第２プリズムに入射し、第３色光を第３プリズムに入射して合成光を形成する。
【００４８】
また、ライトバルブ１０９Ｒ，１０９Ｂ，１０９Ｇに反射型のライトバルブを用いたが、透過型ライトバルブを用いて装置を構成しても良い。その場合、各透過型ライトバルブの入射面近傍に偏光板を配置し、その偏光板を介してＲ光、Ｂ光、およびＧ光を各透過型ライトバルブに入射させ、ライトバルブからの光を射出面近傍に配置した偏光板で検光する。そして、検光された各色光をクロスダイクロイックプリズム１１２等の色合成系で色合成する。
【００４９】
以上説明した実施の形態と特許請求の範囲の要素との対応において、クロスダイクロイックミラー保持部２１２および２２１Ｂは一対の壁部を、直角部２２１Ａは保持部材を、クロスダイクロイックプリズム１１２は光学部材をそれぞれ構成する。また、本発明の特徴を損なわない限り、本発明は上記実施の形態に何ら限定されるものではない。
【図面の簡単な説明】
【００５０】
【図１】本発明による投射型表示装置の基本構成を示す平面図である。
【図２】マウント部材１２２を示す斜視図である。
【図３】第１保持部材２１１および第２保持部材２２１によって保持されクロスダイクロイックミラー１０３を示す図である。
【図４】第１保持部材２１１を示す斜視図である。
【図５】第２保持部材２２１を示す斜視図である。
【図６】第１保持部材２１１に保持された抱く黒一区ミラー１０３Ｂ，１０３ＲＧおよび偏向ミラー１０４，１０５を示す斜視図である。
【符号の説明】
【００５１】
１０１  光源
１０２  偏光変換照明装置
１０３  クロスダイクロイックミラー
１０３Ｂ、１０３ＲＧ，１０６  ダイクロイックミラー
１０４，１０５  偏向ミラー
１０７Ｒ，１０７Ｂ，１０７Ｇ  偏光ビームスプリッタ
１０８Ｒ，１０８Ｂ，１０８Ｇ  １／４波長位相差板
１０９Ｒ，１０９Ｂ，１０９Ｇ  ライトバルブ
１１１Ｒ，１１１Ｂ，１１１Ｇ  光路長補正光学部材
１１２  クロスダイクロイックプリズム
１１２Ｒ，１１２Ｂ  ダイクロイック膜
１１３  投射レンズ
１２１  ベース部材
１２２  マウント部材
１２２ｂ  光学部材取付部
２１１  第１保持部材
２１３  底面部
２１２，２２１Ｂ  クロスダイクロイックミラー保持部
２２１  第２保持部材
２２１Ａ  直角部
【図１】
2005165230.tif 000003
【図２】
2005165230.tif 000004
【図３】
2005165230.tif 000005
【図４】
2005165230.tif 000006
【図５】
2005165230.tif 000007
【図６】
2005165230.tif 000008